(57)【要約】【課題】  画像データおよび付帯情報を画像表示部に重畳させて表示させるに際して、再生画像に拠らず付帯情報を常に明確に認識可能に表示する。【解決手段】  デジタル画像記録装置において、ＣＣＤ１２により生成された画像データを記録メディア１７に記録するに際し、画像データに対応した付帯情報を記録メディア１７に記録するが、その付帯情報を記録メディア１７に記録する際のかかる付帯情報の記録形態を任意に設定可能に構成した。【選択図】        図３
2006352606.tif 000002
【特許請求の範囲】
【請求項１】
被写体を撮影して当該被写体の画像データを生成する撮像手段と、
前記撮像手段により生成された前記画像データを記録媒体に記録する画像データ記録手段と、
前記記録媒体に記録される前記画像データに対応した付帯情報を前記記録媒体に記録する付帯情報記録手段と、
前記記録媒体に記録された前記画像データと前記付帯情報とを再生して表示する表示手段と、
前記記録手段に前記付帯情報を記録する際の当該付帯情報の記録形態を設定する記録形態設定手段と、
を備えたことを特徴とするデジタル画像記録装置。
【請求項２】
ユーザからの指示を入力する入力手段をさらに備え、
前記記録形態設定手段は、前記入力手段からの指示入力に基づいて、前記付帯情報の記録形態を設定することを特徴とする請求項１記載のデジタル画像記録装置。
【請求項３】
前記表示手段は、前記画像データに基づく再生画像と前記付帯情報とを重畳して表示することを特徴とする請求項１または請求項２記載のデジタル画像記録装置。
【請求項４】
前記表示手段は、操作メニューをさらに重畳して表示することを特徴とする請求項３記載のデジタル画像記録装置。
【請求項５】
前記記録形態設定手段は、前記付帯情報の記録形態として前記表示手段に当該付帯情報が再生されて表示される際の色を設定することを特徴とする請求項１〜請求項４のいずれかに記載のデジタル画像記録装置。
【請求項６】
前記記録形態設定手段は、前記付帯情報の記録形態として前記表示手段に当該付帯情報が再生されて表示される際の文字形態を設定することを特徴とする請求項１〜請求項５のいずれかに記載のデジタル画像記録装置。
【請求項７】
前記記録形態設定手段は、前記付帯情報の記録形態として前記表示手段に当該付帯情報が再生されて表示される際の表示位置を設定することを特徴とする請求項１〜請求項６のいずれかに記載のデジタル画像記録装置。
【発明の詳細な説明】
【技術分野】
【０００１】
本発明は、デジタルカメラやデジタルビデオカメラ等の撮影された画像を画像データとして記録可能なデジタル画像記録装置に関する。
【背景技術】
【０００２】
デジタルカメラ等のデジタル画像記録装置では、被写体からの光を撮像素子により画像データに光電変換し、これをメモリカード等の記録メディアに記録するように構成されている。さらには、デジタル画像記録装置には液晶モニタ等の画像表示部が配置されており、撮像素子で撮影中の画像をスルー画像として表示したり、記録メディアに記録された画像データを再生画像として表示することが可能である。
ところで、かかるデジタル画像記録装置では、一般に、撮影によって得られた画像データを記録メディアに記録するのと同時に、各画像データに対応させて、撮影された日付や撮影者名等の付帯情報を含むインデックス情報を記録することができるように構成されている。そのため、記録メディアにどのような画像データが記録されているかについては、その画像データおよびその付帯情報をデジタル画像記録装置の画像表示部に重畳させて表示させることで、その内容を確認することができる。
【０００３】
ここで、デジタル画像記録装置の画像表示部に日付等の付帯情報を表示させる従来技術として、横長画面若しくは縦長画面に変更可能に構成されたファインダー画面（画像表示部）に、再生画像に重ねて日付等の付帯情報を表示する技術が開示されている（例えば、特許文献１参照）。
【０００４】
【特許文献１】特開平１１−３２７０３７号公報
【発明の開示】
【発明が解決しようとする課題】
【０００５】
ところで、従来のデジタル画像記録装置では、記録メディアに記録されている画像データやその付帯情報を画像表示部に重畳させて表示させるに際して、付帯情報については画像表示部の所定の領域、例えば画像表示部の右下の領域において黒色や赤色等の単一色で表示していた。
しかしながら、付帯情報が表示される領域での再生画像の明度や色彩が、付帯情報を表示する文字の明度や色彩と近似する場合には、付帯情報が見にくくなり、最悪の場合には付帯情報が殆ど認識できない場合も生じるという問題があった。
【０００６】
この発明は、上述のような技術的課題を解決するためになされたものであり、その目的は、画像データおよびその付帯情報を画像表示部に重畳させて表示させるに際して、再生画像に拠らず付帯情報を常に明確に認識可能に表示することにある。
【課題を解決するための手段】
【０００７】
かかる目的のもと、本発明の請求項１に記載のデジタル画像記録装置は、被写体を撮影して当該被写体の画像データを生成する撮像手段と、前記撮像手段により生成された前記画像データを記録媒体に記録する画像データ記録手段と、前記記録媒体に記録される前記画像データに対応した付帯情報を前記記録媒体に記録する付帯情報記録手段と、前記記録媒体に記録された前記画像データと前記付帯情報とを再生して表示する表示手段と、前記記録手段に前記付帯情報を記録する際の当該付帯情報の記録形態を設定する記録形態設定手段と、を備えたことを特徴としている。
【０００８】
また、本発明の請求項２に記載のデジタル画像記録装置は、請求項１記載のデジタル画像記録装置において、ユーザからの指示を入力する入力手段をさらに備え、前記記録形態設定手段は、前記入力手段からの指示入力に基づいて、前記付帯情報の記録形態を設定することを特徴としている。
【０００９】
また、本発明の請求項３に記載のデジタル画像記録装置は、請求項１または請求項２記載のデジタル画像記録装置において、前記表示手段は、前記画像データに基づく再生画像と前記付帯情報とを重畳して表示することを特徴としている。
【００１０】
また、本発明の請求項４に記載のデジタル画像記録装置は、請求項３記載のデジタル画像記録装置において、前記表示手段は、操作メニューをさらに重畳して表示することを特徴としている。
【００１１】
また、本発明の請求項５に記載のデジタル画像記録装置は、請求項１〜請求項４のいずれかに記載のデジタル画像記録装置において、前記記録形態設定手段は、前記付帯情報の記録形態として前記表示手段に当該付帯情報が再生されて表示される際の色を設定することを特徴としている。
【００１２】
また、本発明の請求項６に記載のデジタル画像記録装置は、請求項１〜請求項５のいずれかに記載のデジタル画像記録装置において、前記記録形態設定手段は、前記付帯情報の記録形態として前記表示手段に当該付帯情報が再生されて表示される際の文字形態を設定することを特徴としている。
【００１３】
また、本発明の請求項７に記載のデジタル画像記録装置は、請求項１〜請求項６のいずれかに記載のデジタル画像記録装置において、前記記録形態設定手段は、前記付帯情報の記録形態として前記表示手段に当該付帯情報が再生されて表示される際の表示位置を設定することを特徴としている。
【発明の効果】
【００１４】
本発明によれば、ユーザは再生画像に拠らず常に付帯情報を明確に認識することが可能となる。
【発明を実施するための最良の形態】
【００１５】
以下、この発明を実施するための最良の形態について、図面を参照して詳細に説明する。なお、各図中において、同一又は相当する部分については同一の符号を付し、その重複説明は適宜、簡略化または省略する。
［実施の形態１］
図１は本実施の形態が適用されるデジタル画像記録装置の一例であるデジタルカメラ１の構成を示すブロック図である。図１に示すデジタルカメラ１は、撮像手段の一部を構成する光学系１１、撮像手段の一部を構成する光電変換素子（ＣＣＤ）１２、第１信号処理部１３、バッファメモリ１４、第２信号処理部１５、表示手段としての表示ディスプレイ１６、画像データ記録手段および付帯情報記録手段としての記録メディア制御部１８、インターフェイス１９、入力手段としての操作入力部２０、さらには制御部１０により主要部が構成されている。
【００１６】
制御部１０は、ＣＰＵ（Central Processing Unit）、作業用メモリとしてのＲＡＭ、デジタルカメラ１内部での各種データ処理に必要なプログラム群が格納されたＲＯＭ等から構成されている。そして、第１信号処理部１３、バッファメモリ１４、表示ディスプレイ１６、第２信号処理部１５、さらには記録メディア制御部１８、インターフェイス１９における動作制御、画像処理および画像圧縮伸張処理等の実行を制御する。さらには、制御部１０は記録形態設定手段としても機能する。
光学系１１は、レンズや絞り機構等から構成され、ＣＣＤ１２上に被写体からの反射光を結像する。ＣＣＤ（Charge-Coupled Device）１２は、光学系１１からの撮像光を電気信号に変換して第１信号処理部１３に出力する。
【００１７】
第１信号処理部１３は、ＣＣＤ１２からの信号を処理して、R（Ｒｅｄ）、G（Ｇｒｅｅｎ）、Ｂ（Ｂｌｕｅ）の３色の画像データとしてバッファメモリ１４に出力する。
第２信号処理部１５は、バッファメモリ１４上の画像データ（Ｒ、Ｇ、Ｂ）を輝度成分Ｙおよび色差成分Ｕ、Ｖに変換する。そして、変換された画像データに対して、ＪＰＥＧ（Joint Photographic Experts Group）方式による圧縮処理および伸張処理等を実行する。さらには、必要に応じてサムネイル画像を作成するための縮小処理を行なう。
表示ディスプレイ１６は、液晶ディスプレイ等から構成されている。そして、撮影中の画像をスルー画像として表示したり、記録メディア１７に記録された画像データを再生画像として表示する。さらには操作メニュー情報をＯＳＤ（On Screen Display）画面上に表示したり、日付や撮影者名等の撮影に関する付帯情報を含むインデックス情報等を表示する。その場合、画像と操作メニュー情報やインデックス情報等とが重畳して表示される。
なお、バッファメモリ１４は、表示ディスプレイ１６における画像表示用メモリとしても用いられ、画像データがビットマップイメージで展開される。また、表示ディスプレイ１６におけるメニュー情報およびインデックス情報の表示用メモリとしても機能する。
【００１８】
記録メディア制御部１９は、第２信号処理部１５の出力信号を受け取って、ＪＰＥＧ圧縮された画像データやサムネイル画像データの記録メディア１７への書込や、記録メディア１７に記録された各ＪＰＥＧ画像データ等の読出の制御を行なう。その際には、各画像データに対応させて、日付等の撮影に関する付帯情報を含むインデックス情報の記録メディア１７への書込や読出等の制御も行なう。また、記録メディア制御部１９では、画像データの記録メディア１７への書込を、ＴＩＦＦ（Tagged Image File Format）で行なうことも可能である。ここで、記録メディア１７としては、例えば４〜４０ＭＢの容量を有するメモリカード等が用いられる。
インターフェイス１９は、例えばシリアルインターフェイスが用いられ、プリンタやパーソナルコンピュータ（ＰＣ）、モデム等の外部装置とのデータの授受を行なう場合に用いられる。そして、ＰＣから送られるプログラムの受信、画像データのＰＣへの送信、モデムを介しての画像データの通信回線等への送出、プリンタへの画像データの送信が行なわれる。
【００１９】
また、操作入力部２０は、各種釦やキーから構成される。そして、各種釦やキーの操作によるユーザからの指示を入力し、これをデジタル信号に変換して制御部１０に出力する。図２は、デジタルカメラ１の本体背面に配設された操作入力部２０を示す図である。操作入力部２０は、電源釦２０１、メニュー釦２０２、ＯＮ釦２０３、十字キー２０４を備えている。
電源釦２０１は、デジタルカメラ１の電源を立ち上げるためのスイッチである。メニュー釦２０２は、表示ディスプレイ１６上のＯＳＤ画面に操作メニューが示されたメニュー画面を表示する際のスイッチである。ＯＮ釦２０３は、ＯＳＤ画面上に表示された操作メニューの中から選択された操作メニューの実行を決定する際に使用するスイッチである。
また、十字キー２０４は、ＯＳＤ画面上に表示された操作メニューを選択する際に、ＯＳＤ画面上でカーソル等を上下左右に移動させるためのキーである。十字キー２０４は、カーソル等を上方向に移動させる上移動キー２０４ａ、カーソル等を右方向に移動させる右移動キー２０４ｂ、カーソル等を下方向に移動させる下移動キー２０４ｃ、カーソル等を左方向に移動させる左移動キー２０４ｄからなる。
【００２０】
ところで、本実施の形態のデジタルカメラ１のようなデジタル画像記録装置では、撮影された画像データを記録メディア１７に記録しておくに際し、その画像に関する情報、例えば撮影された日付、撮影者名、撮影場所、撮影条件等の付帯情報を含むインデックス情報を、その画像データに対応付けて記録しておくことが一般に行なわれている。そして、記録メディア１７から画像データを読出し、表示ディスプレイ１６に再生する際には、再生画像と付帯情報とが重畳して表示されるように構成されている。それにより、ユーザは再生画像に対応した付帯情報を同時に把握することが可能となり、記録メディア１７に記録された画像データ（画像ファイル）の整理・検索等を行なうに際しての利便性の向上が図られている。
ところが、画像データの再生時には、従来は、表示ディスプレイ１６において付帯情報が予め定められた色や文字形態で表示され、さらには予め定められた表示領域に表示されていた。そのために、再生画像と付帯情報とが重畳して表示されると、再生画像の色彩や明度によっては付帯情報の表示が見え難くなる場合があった。
そこで、本実施の形態のデジタルカメラ１では、再生画像に対して付帯情報が明確に認識できるように、記録メディア１７へ書込む際の付帯情報の記録形態をユーザ自身で任意に選択して設定することができるように構成している。すなわち、付帯情報が記録メディア１７から読み出されて、表示ディスプレイ１６で再生される際の、付帯情報の色や文字形態、さらには画像上における付帯情報の記録位置をユーザ自身で任意に選択して設定することができる。
【００２１】
以下に、本実施の形態のデジタルカメラ１において、付帯情報についての記録メディア１７への書込処理について説明する。なお、ここでは、撮影された日付を例に説明するが、撮影された画像の付帯情報となる如何なる情報についても同様に適用することができる。
図３は、制御部１０によって行なわれる付帯情報の記録メディア１７への書込処理の手順の一例を説明するフローチャートである。図３に示すように、ユーザが電源釦２０１（図２参照）を押すと、デジタルカメラ１の電源がＯＮとなる（Ｓ１０１）。続いて、ユーザがメニュー釦２０２（図２参照）を押すと（Ｓ１０２）、表示ディスプレイ１６上のＯＳＤ画面に操作メニューが示されたメニュー画面が表示される（Ｓ１０３）。
【００２２】
ここで、図４および図５は、ステップＳ１０３において表示される操作メニュー画面の一例である。ＯＳＤ画面には、まず図４に示したように、撮影された画像に日付を記録しておくか否かの選択を行なうメニュー画面が表示される。そして、ユーザは図４のメニュー画面により、所望するメニュー項目を選択する（Ｓ１０４）。図４では、ユーザが操作入力部２０において右移動キー２０４ｂを１回押し、下移動キー２０４ｃを２回押すことでカーソルが「日付」に移動した場合を示している。その状態で、ＯＮ釦２０３を押すことで、「日付」の選択が決定される。
このように、日付の記録が選択された場合には、図５に示したように、画像データが再生される際に使用する日付を表示するための色の選択を行なうメニュー画面が表示される。この場合には、ユーザは図５のメニュー画面により、所望するメニュー項目を選択する（Ｓ１０５）。図５では、ユーザが右移動キー２０４ｂを１回押し、下移動キー２０４ｃを２回押ことでカーソルが「白抜き」に移動した場合を示している。その状態で、ＯＮ釦２０３を押すことで、「白抜き」の選択が決定される。
一方、ステップＳ１０４において日付の記録を行なわないことが選択された場合、またはステップＳ１０５において色の選択を行なわないことが選択された場合には、処理は完了する。
【００２３】
ステップＳ１０５において「標準」が選択された場合（Ｓ１０６）には、制御部１０は、記録メディア制御部１９に対して、日付を表示するための色として黒文字を設定するための信号を送信する（Ｓ１０９）。そして、記録メディア制御部１９は、画像データとともに黒文字で表現された付帯情報を、記録メディア１７に記録する（Ｓ１１０）。
また、ステップＳ１０５において「赤」が選択された場合（Ｓ１０７）には、制御部１０は、記録メディア制御部１９に対して、日付を表示するための色として赤文字を設定するための信号を送信する（Ｓ１０９）。そして、記録メディア制御部１９は、画像データとともに赤文字で表現された付帯情報を、記録メディア１７に記録する（Ｓ１１０）。
また、ステップＳ１０５において「白抜き」が選択された場合（Ｓ１０８）には、制御部１０は、記録メディア制御部１９に対して、日付を表示するための文字形態として白抜き文字（文字の周囲が黒で、文字自体が白で表された文字形態）を設定するための信号を送信する（Ｓ１０９）。そして、記録メディア制御部１９は、画像データとともに白抜き文字で表現された付帯情報を、記録メディア１７に記録する（Ｓ１１０）。
【００２４】
ここで、上記した処理により記録メディア１７に記録された画像データおよび付帯情報（日付）を、表示ディスプレイ１６にて再生した場合の再生画像を図６に示した。図６（ａ）は、日付を黒文字で表した場合、図６（ｂ）は、日付を赤文字で表した場合、図６（ｃ）は、日付を白抜き文字で表した場合を示している。図６の場合には、撮影された画像が夜間の街路であるため、画像の明度が低い。そのため、日付を黒文字で表した場合（図６（ａ））には、日付を殆ど認識することができない。これに対して、赤文字で表した場合（図６（ｂ））には、日付の認識度が改善され、白抜き文字で表した場合（図６（ｃ））には、明確に日付を認識することが可能となる。
このように、撮影された画像の明度や色彩に対応させて、付帯情報の色や文字形態を選択することで、付帯情報を明確に認識することができる。
【００２５】
以上説明したように、本実施の形態のデジタルカメラ１では、記録メディア１７へ書込む付帯情報の色や文字形態をユーザ自身で任意に選択することができるように構成している。それにより、記録メディア１７に記録された画像データおよび付帯情報を、表示ディスプレイ１６にて再生する場合には、付帯情報を明確に認識することが可能となる。
【００２６】
［実施の形態２］
実施の形態１では、デジタルカメラ１において、表示ディスプレイ１６でのＯＳＤ画面に表示されたメニュー画面から、画像データに対応付けて記録する付帯情報の色や文字形態を選択することができる構成について説明した。本実施の形態２では、付帯情報が付加される画像データを参照しながら、記録する付帯情報の色や文字形態を選択する場合を説明する。なお、本実施の形態２における上記した実施の形態１と同様な構成についての説明は省略する。
【００２７】
以下に、本実施の形態における付帯情報についての記録メディア１７への書込処理について説明する。なお、ここでは、撮影された日付を例に説明するが、撮影された画像の付帯情報となる如何なる情報についても同様に適用することができる。
図７は、制御部１０によって行なわれる付帯情報の記録メディア１７への書込処理の手順の一例を説明するフローチャートである。図７に示すように、ユーザが電源釦２０１（図２参照）を押すと、デジタルカメラ１の電源がＯＮとなる（Ｓ２０１）。続いて、ユーザがメニュー釦２０２（図２参照）を押すと（Ｓ２０２）、表示ディスプレイ１６上のＯＳＤ画面に操作メニューが示されたメニュー画面が表示される（Ｓ２０３）。
【００２８】
ここで、ＯＳＤ画面には、まず図４に示したように、撮影された画像に日付を記録しておくか否かの選択を行なうメニュー画面が表示される。そして、ユーザは図４のメニュー画面により、所望するメニュー項目を選択する（Ｓ２０４）。図４では、ユーザが操作入力部２０において右移動キー２０４ｂを１回押し、下移動キー２０４ｃを２回押すことでカーソルが「日付」に移動した場合を示している。その状態で、ＯＮ釦２０３を押すことで、「日付」の選択が決定される。
そして、ステップＳ２０４において日付の記録が選択された場合には、制御部１０の制御の下で、図８に示したように、日付が付加される再生画像に重畳してＯＳＤ画面が表示され、ＯＳＤ画面に日付を表示するための色の選択を行なうメニュー画面が表示される。さらには、メニュー画面と同時に、再生画像に重畳して、標準色である黒文字（デフォルト設定）で表された日付が表示ディスプレイ１６の画面右下の領域に表示される（図８（ａ））。
一方、ステップＳ２０４において日付の記録を行なわないことが選択された場合には、処理は完了する。
【００２９】
ステップＳ２０４において日付の記録が選択され、再生画像に重畳してメニュー画面が表示されている場合（図８（ａ））に、ＯＮ釦２０３を押すと（Ｓ２０５）、制御部１０は、記録メディア制御部１９に対して、日付を表示するための色として黒文字をそのまま設定するための信号を送信する（Ｓ２０８）。そして、記録メディア制御部１９は、画像データとともに黒文字で表現された付帯情報を、記録メディア１７に記録する（Ｓ２０９）。
一方、ステップＳ２０４において日付の記録が選択され、再生画像に重畳してメニュー画面が表示されている場合（図８（ａ））に、下移動キー２０４ｃを１回押すと、再生画像に重畳して表示されている日付が赤色に変化する（図８（ｂ））。その状態でＯＮ釦２０３を押すと（Ｓ２０６）、「赤」が選択される。その場合には、制御部１０は、記録メディア制御部１９に対して、日付を表示するための色として赤文字を設定するための信号を送信する（Ｓ２０８）。そして、記録メディア制御部１９は、画像データとともに赤文字で表現された付帯情報を、記録メディア１７に記録する（Ｓ２０９）。
【００３０】
さらに、ステップＳ２０４において日付の記録が選択され、再生画像に重畳してメニュー画面が表示されている場合（図８（ａ））に、下移動キー２０４ｃを２回押すと、再生画像に重畳して表示されている日付が白抜き文字に変化する（図８（ｃ））。その状態でＯＮ釦２０３を押すと（Ｓ２０７）、「白抜き文字」が選択される。その場合には、制御部１０は、記録メディア制御部１９に対して、日付を表示するための文字形態として白抜き文字を設定するための信号を送信する（Ｓ２０８）。そして、記録メディア制御部１９は、画像データとともに白抜き文字で表現された付帯情報を、記録メディア１７に記録する（Ｓ２０９）。
一方、ステップＳ２０４において日付の記録が選択され、再生画像に重畳してメニュー画面が表示されている場合（図８（ａ））に、下移動キー２０４ｃが３回押された場合には、ステップＳ２０５の状態（図８（ａ））に戻る。
【００３１】
このように、本実施の形態のデジタルカメラ１では、付帯情報が付加される画像を再生し、再生された画像を参照しながら、記録メディア１７へ書込む付帯情報の色や文字形態をユーザ自身で任意に選択することができるように構成している。それにより、実際の再生画像に合わせて付帯情報の色や文字形態を選択できる。その結果、再生画像に重畳して付帯情報が表示された場合に、最も明確に付帯情報を認識することが可能な色や文字形態を容易に選択することが可能となる。
【００３２】
［実施の形態３］
実施の形態１、２では、デジタルカメラ１において、画像データに対応付けて記録する付帯情報の色や文字形態を選択することを可能とした構成について説明した。本実施の形態３では、記録する付帯情報の画像上における表示位置を選択することを可能とした構成について説明する。なお、本実施の形態３における上記した実施の形態１と同様な構成についての説明は省略する。
【００３３】
以下に、本実施の形態における付帯情報についての記録メディア１７への書込処理について説明する。なお、ここでは、撮影された日付を例に説明するが、撮影された画像の付帯情報となる如何なる情報についても同様に適用することができる。
図９は、制御部１０によって行なわれる付帯情報の記録メディア１７への書込処理の手順の一例を説明するフローチャートである。図９に示すように、ユーザが電源釦２０１（図２参照）を押すと、デジタルカメラ１の電源がＯＮとなる（Ｓ３０１）。続いて、ユーザがメニュー釦２０２（図２参照）を押すと（Ｓ３０２）、表示ディスプレイ１６上のＯＳＤ画面に操作メニューが示されたメニュー画面が表示される（Ｓ３０３）。
【００３４】
ここで、ＯＳＤ画面には、まず図４に示したように、撮影された画像に日付を記録しておくか否かの選択を行なうメニュー画面が表示される。そして、ユーザは図４のメニュー画面により、所望するメニュー項目を選択する（Ｓ３０４）。図４では、ユーザが操作入力部２０において右移動キー２０４ｂを１回押し、下移動キー２０４ｃを２回押すことでカーソルが「日付」に移動した場合を示している。その状態で、ＯＮ釦２０３を押すことで、「日付」の選択が決定される。
そして、ステップＳ３０４において日付の記録が選択された場合には、それに引き続いて、図１０に示した日付の表示位置の設定を行なうか否かを選択するためのメニュー画面が表示される。その場合、ユーザはこのメニュー画面により、日付の表示位置の設定を行なうか否かを選択する（Ｓ３０５）。図１０では、ユーザが操作入力部２０において右移動キー２０４ｂを１回押し、下移動キー２０４ｃを１回押すことでカーソルが「あり」に移動した場合を示している。その状態で、ＯＮ釦２０３を押すことで、日付位置の設定を行なうことが選択される。
【００３５】
ステップＳ３０５により日付位置の設定を行なうことが選択された場合には、制御部１０の制御の下で、図１１に示したように、日付が付加される再生画像に重畳してＯＳＤ画面が表示され、ＯＳＤ画面に日付を表示する位置の選択を行なうメニュー画面が表示される。さらには、メニュー画面と同時に、再生画像に重畳して、表示ディスプレイ１６の画面右下の領域（デフォルト設定）に、標準色である黒文字によって表された日付が点滅しながら表示される（図１０（ａ））。
この状態でユーザがＯＮ釦２０３を押すと、日付の表示位置は、デフォルト設定である画像の右下位置に決定される（Ｓ３０６）。その場合には、制御部１０は、記録メディア制御部１９に対して、日付の表示位置をそのまま画像の右下位置に設定するための信号を送信する（Ｓ３０７）。そして、記録メディア制御部１９は、画像データとともに日付の表示位置が画像の右下位置に設定された付帯情報を、記録メディア１７に記録する（Ｓ３０８）。
【００３６】
ステップＳ３０５により日付位置の設定を行なうことが選択された場合に、図１１のメニュー画面において、ユーザが操作入力部２０の下移動キー２０４ｃを１回押すことで「他選択」にカーソルを移動させることができる。その状態で例えば上移動キー２０４ａを押すと、表示ディスプレイ１６の画面右下の領域（デフォルト設定）にて点滅しながら表示されていた日付が、画面右上の領域に移動して点滅しながら表示される（図１１（ｂ））。この状態でユーザがＯＮ釦２０３を押すと、日付の表示位置は、画像の右上位置に決定される（Ｓ３０６）。その場合には、制御部１０は、記録メディア制御部１９に対して、日付の表示位置を画像の右上位置に設定するための信号を送信する（Ｓ３０７）。そして、記録メディア制御部１９は、画像データとともに日付の表示位置が画像の右上位置に設定された付帯情報を、記録メディア１７に記録する（Ｓ３０８）。
同様に、図１１のメニュー画面が表示された状態で、ユーザが操作入力部２０の十字キー２０４を操作することで、日付の表示位置を表示ディスプレイ１６の画面上で右上、右下、左上、左下の各位置に任意に設定することができる。そして、画像データとともに日付の表示位置が設定された付帯情報を記録することができる。
なお、ステップＳ３０４において日付の記録を行なわないことが選択された場合、さらにはステップＳ３０５において日付位置の設定を行なわないことが選択された場合には、処理は完了する。
【００３７】
このように、本実施の形態のデジタルカメラ１では、付帯情報が付加される画像を再生し、再生された画像を参照しながら、記録メディア１７へ書込む付帯情報の表示位置をユーザ自身で任意に選択することができるように構成している。それにより、付帯情報が再生画像に重畳して表示された場合に、再生画像の色彩や明度に対応させて、最も付帯情報を明確に認識することが可能である画像位置を容易に選択することが可能となる。
【００３８】
なお、上記の実施の形態では、デジタル画像記録装置としてデジタルカメラ１を例に説明したが、本発明は、デジタルビデオカメラ、デジタルカメラ機能を有する携帯電話、デジタルカメラ機能を有するＰＤＡ（Personal Digital Assistant）、デジタルカメラ機能を有するＰＣ等のデジタルカメラ機能を有するあらゆる機器に関して適用することが可能である。
【図面の簡単な説明】
【００３９】
【図１】本発明のデジタルカメラの構成を示すブロック図である。
【図２】デジタルカメラの操作入力部を示す図である。
【図３】実施の形態１における付帯情報の記録メディアへの書込処理の手順を説明するフローチャートである。
【図４】撮影された画像に日付を記録しておくか否かの選択を行なうメニュー画面を示した図である。
【図５】日付を表示するための色の選択を行なうメニュー画面を示した図である。
【図６】画像データおよび日付情報を表示ディスプレイにて再生した場合の再生画像を示した図である。
【図７】実施の形態２における付帯情報の記録メディアへの書込処理の手順を説明するフローチャートである。
【図８】再生画像に重畳して日付の色の選択を行なうメニュー画面が表示された状態を示す図である。
【図９】実施の形態３における付帯情報の記録メディアへの書込処理の手順を説明するフローチャートである。
【図１０】日付の表示位置の設定を行なうか否かを選択するためのメニュー画面を示した図である。
【図１１】日付が付加される再生画像に重畳して日付を表示する位置の選択を行なうメニュー画面が表示された状態を示す図である。
【符号の説明】
【００４０】
１  デジタルカメラ（デジタル画像記録装置）、１０  制御部、１１  光学系、
１２  光電変換素子（ＣＣＤ）、１３  第１信号処理部、１４  バッファメモリ、
１５  第２信号処理部、１６  表示ディスプレイ、１７  記録メディア、
１８  記録メディア制御部、１９  インターフェイス、２０  操作入力部、
２０１  電源釦、２０２  メニュー釦、２０３  ＯＮ釦、２０４  十字キー。
【図１】
2006352606.tif 000003
【図２】
2006352606.tif 000004
【図３】
2006352606.tif 000005
【図４】
2006352606.tif 000006
【図５】
2006352606.tif 000007
【図６】
2006352606.tif 000008
【図７】
2006352606.tif 000009
【図８】
2006352606.tif 000010
【図９】
2006352606.tif 000011
【図１０】
2006352606.tif 000012
【図１１】
2006352606.tif 000013